(57)【要約】【課題】本発明は回動式ドックに挿着されている電子機器が取り外される際に発生する、取り外される電子機器に追従して回動式ドックが回動する問題を解決する。【解決手段】本発明のロック装置は、回動方式により展開と閉鎖を実現する回動式ドックのロックに用いられ、ロック装置はロック部材を含み、その中で前記ロック装置は制御部材を含み、制御部材の一端は本体への連結に用いられ、他端にロック部材が設置され、ロック部材はストッパ位置と退避位置との間を移動でき、ロック部材は回動式ドックの展開状態で回動式ドックにロックを行うように、ストッパ位置において回動式ドックが閉鎖へ回動するのを阻止する。【選択図】図２
2013048006.tif 000002
【特許請求の範囲】
【請求項１】
回動方式により展開と閉鎖を実現する回動式ドックのロックに用いられ、ロック部材を含むロック装置であり、前記ロック装置は制御部材を含み、前記制御部材の一端は本体への連結に用いられ、他端に前記ロック部材が設置され、前記ロック部材はストッパ位置と退避位置との間を移動でき、前記ロック部材は、前記回動式ドックの展開状態で前記回動式ドックにロックを行うように、前記ストッパ位置において前記回動式ドックが閉鎖へ回動するのを阻止し、これにより前記回動式ドックが展開状態に保持される、ことを特徴とするロック装置。
【請求項２】
前記回動式ドックの回動軸線と平行な方向に沿った端部にはロック凸部が設置され、前記回動式ドックの展開に伴い回動し、前記ロック凸部が前記ロック部材に当接する際に、前記ロック部材はストッパ位置から退避位置へ移動し、前記ロック凸部が前記ロック部材を超えた後、前記ロック部材は前記ストッパ位置へ回復して前記ロック凸部の後側に臨み、これにより前記回動式ドックが閉鎖方向に回動するのを阻止すること、を特徴とする請求項１に記載のロック装置。
【請求項３】
前記制御部材の前記一端は前後方向に延在する第１軸を介して回動して前記本体に連結し、前記制御部材の前記他端に第１リセット弾性部材が設置され、前記第１リセット弾性部材は、前記ロック部材を退避位置からストッパ位置に回復させるように付勢すること、を特徴とする請求項２に記載のロック装置。
【請求項４】
前記ロック部材は展開用ガイド面およびストッパ面を備え、前記ロック凸部は前記回動式ドックの扉体の底板に設けられ、前記ロック凸部は展開用ガイド面およびストッパ面を備え、前記ロック部材のストッパ面は前記ロック部材の前側に位置し、前記ロック凸部の展開用ガイド面が前記ロック部材の展開用ガイド面を押圧することで、前記ロック部材がストッパ位置から退避位置へ移動し、前記回動式ドックの展開状態で、前記ロック部材のストッパ面と前記ロック凸部のストッパ面とは当接すること、を特徴とする請求項３に記載のロック装置。
【請求項５】
前記ロック部材の展開用ガイド面は前記ロック部材の上側に位置し、前記ロック凸部の展開用ガイド面は前記回動式ドックが収納状態を呈する際に前記ロック凸部の前側に位置し、前記退避位置は前記ストッパ位置の下方に位置する、ことを特徴とする請求項４に記載のロック装置。
【請求項６】
前記ロック部材が前記ロック部材の展開用ガイド面とストッパ面との間に位置する閉鎖用ガイド面をさらに備え、前記ロック凸部も、前記ロック凸部の展開用ガイド面とストッパ面との間に位置する閉鎖用ガイド面を備え、前記回動式ドック閉鎖回動において、前記ロック凸部が閉鎖回動の方向で前記ロック部材を超えるように、前記ロック凸部の前記閉鎖用ガイド面が前記ロック部材の前記閉鎖用ガイド面を押圧することで前記ロック部材をストッパ位置から退避位置へ押圧する、ことを特徴とする請求項４に記載のロック装置。
【請求項７】
前記ロック装置がアンロックスライドボタンをさらに含み、前記アンロックスライドボタンはロック位置とアンロック位置との間を移動でき、前記アンロックスライドボタンは制御ピンを含み、前記制御ピンと前記制御部材が連動し、それに伴って、前記制御部材の他端のロック部材が前記ストッパ位置を離れる、ことを特徴とする請求項２に記載のロック装置。
【請求項８】
前記制御部材にカム溝が設置され、前記カム溝は、ロック溝部と、アンロック溝部と、ロック溝部とアンロック溝部との間に位置する突起と、を備え、前記アンロックスライドボタンにおける前記制御ピンは前記カム溝に挿入され、前記制御ピンは係合溝を備え、前記係合溝は前記突起と係合し、ロック部材がストッパ位置にあり、前記アンロックスライドボタンがロック位置にあるとき、前記制御ピンは前記ロック溝部中にあり、前記アンロックスライドボタンがアンロック位置にあるとき、前記制御ピンが前記アンロック溝部にあり且つその係合溝と前記突起が係合し、前記制御ピンはさらに第２リセット弾性部材に連結し、前記第２リセット弾性部材は前記制御ピンを前記アンロック溝部から前記ロック溝部へ移動させるように付勢する、ことを特徴とする請求項７に記載のロック装置。
【請求項９】
前記ロック装置はさらにカバー板を備え、前記カバー板は前記制御部材の後側に位置し、前記制御部材の前記他端に固定柱が設置され、前記カバー板の、前記制御部材の前記他端に近い部位にフックが設置され、前記第１リセット弾性部材は前記固定柱と前記フックの間に掛けられる、ことを特徴とする請求項３に記載のロック装置。
【請求項１０】
前記ロック部材が上下方向に延在する第２軸を介して前記制御部材の前記他端にピボット連結し、且つ前記ロック部材と前記制御部材の前記他端の間に第３リセット弾性部材が設置され、前記第３リセット弾性部材により前記ロック部材が前記第２軸周りで回動した後に元の位置に戻る、ことを特徴とする請求項２に記載のロック装置。
【請求項１１】
前記回動式ドックは回動により展開と閉鎖を実現し、前記回動式ドックは、前記回動式ドックが閉鎖状態で収納される内面にコネクタが設けられる回動式ドックであり、
前記回動式ドックが請求項１〜１０のいずれかに記載のロック装置を含む、ことを特徴とする回動式ドック。
【請求項１２】
前記電子機器が請求項１１に記載の回動式ドックを含み、前記電子機器の本体が前記本体である、ことを特徴とする電子機器。
【発明の詳細な説明】
【技術分野】
【０００１】
本発明はロック装置、特に例えば、電子機器において使用されるようなロック装置、このロック装置を備える回動式ドックおよび電子機器に関するものである。
【背景技術】
【０００２】
電子機器、例えばスピーカー、ディスプレイ等には回動式ドック（dock）を備えるものがある。該回動式ドック（dock）は電子機器本体の所定の実装部に設置される。
【０００３】
既知の回動式ドックは、軸を介して回動して電子機器に連結する扉体を含み、扉体は軸周りに回動することで展開および収納を実現し、扉体の閉鎖時に収納される内面にコネクタが設置され、扉体の展開時にコネクタが露出し、例えば、プレイヤー（iPod（登録商標））等その他の電子機器が挿着され、使用後に、ユーザはプレイヤーをコネクタから引き抜いた後、扉体を閉じて、回動式ドックを収納状態に保持すればよい。
【０００４】
既知の回動式ドックは、プッシュオープン機構を設置可能であり、ユーザは扉体を押圧することでプッシュオープン機構により扉体を開閉することができる。従来のプッシュオープン機構は、例えば開閉カムおよび開閉ギアを含み、開閉カムおよび開閉ギアは、電子機器本体に対して取外し可能なドックケースに設置され、該ドックケースは電子機器上に再度組み立てられる。該開閉カムおよび開閉ギアはそれぞれ回動式ドックの、回動軸線の方向に沿った両端に位置する。開閉カムは動作シュートが設けられ、該動作シュートは展開溝および閉鎖スライドを含む。回動式ドックに前記動作シュートに嵌合するピンが設けられ、回動式ドックは、該ピンの動作シュートにおけるスライド、歯部と開閉ギアの噛合により、扉体の展開をガイドし閉鎖状態を保持する。
【０００５】
しかしながら、従来の回動式ドックは、扉体の展開時に扉体をロックしてこれを本体に対して展開状態に保持するロック装置を備えない。従って、コネクタからプレイヤー等の電子機器を取り外す際に、取り外される電子機器に追従して扉体が回動する問題が発生し、挿着された双方の電子機器のコネクタを損壊しやすい。
【０００６】
例えば、回動式リセプタクルのようなその他の回動式ドックは、軸回動によりテーブル、キャビネット、ひいては建築物等の非電子機器の実装部にも連結する。使用しない場合には、回動式リセプタクルは収納状態を呈する。使用時には、ユーザは回動式リセプタクルを操作してこれを非電子機器から展開し、回動式リセプタクル内面に設置されるインターフェイスは露出してよく、ユーザは電子機器をこれらのインターフェイスに連結でき、使用後には、インターフェイスから電子機器を取り外して、回動式リセプタクルが収納状態を呈するようにする。
【０００７】
これらの回動式リセプタクルも同様に、電子機器を取り外すときに取り外される電子機器に追従して回動式リセプタクルが回動する問題が存在し、同様に挿着された双方のインターフェイスを損壊する可能性がある。
【先行技術文献】
【特許文献】
【０００８】
【特許文献１】特開２０１１−１１４２４５号公報
【発明の概要】
【発明が解決しようとする課題】
【０００９】
本発明の解決しようとする技術課題は、ロック装置、このロック装置を備える回動式ドックおよび電子機器を提供し、回動式ドックに挿着されている電子機器を取り外す際に発生する、取り外される電子機器に追従して回動式ドックが回動する問題を解決することである。
【課題を解決するための手段及び発明の効果】
【００１０】
本発明の第一の態様は、回動方式により展開と閉鎖を実現する回動式ドックのロックに用いられるロック装置を提供するものであり、前記ロック装置はロック部材を含み、前記ロック装置は制御部材を含み、前記制御部材の一端は本体への連結に用いられ、他端に前記ロック部材が設置され、前記ロック部材はストッパ位置と退避位置との間を移動でき、前記ロック部材は、前記回動式ドックの展開状態で前記回動式ドックにロックを行うように、前記ストッパ位置において前記回動式ドックが閉鎖へ回動するのを阻止し、これにより回動式ドックが展開状態に保持されること、を特徴とする。
【００１１】
以上の方案に基づいて、本発明は以下の顕著な進歩を有する。本発明のロック装置のロック部材は、回動式ドックの展開状態においてのみ回動式ドックにロックを行い、回動式ドックを展開状態に保持でき、従って、回動式ドックに挿着されている電子機器を取り外す際に、取り外される電子機器に追従して回動式ドックの回動が発生することはなく、挿着された双方のコネクタ部分の負担を軽減し、コネクタ部分が損壊されにくくなる。
【００１２】
本発明において、ロック装置には特別な制限はない。回動式ドックの展開状態において、これに対してロックを行いこれを展開状態に保持するロック装置であればいずれも採用可能である。
【００１３】
例えば一つの簡単な制御部材が、第１アームと第２アームを有するＬ字型を呈する場合、第１アームは前後方向に沿って本体にピボット連結し、第２アームは左右方向に沿って回動式ドックの扉体の底板の後方まで延在し、第２アームはロック部材となり、前記回動式ドックの展開後、第１アームを回動してロック部材をストッパ位置まで回動させ、前記回動式ドックにロックを行い、第１アームを回動して第２アームを退避位置へ回復させ、回動式ドックは再度阻止されることはなく、円滑に閉鎖できる。
【００１４】
本発明のロック装置の一つの実施例において、前記回動式ドックの、その回動軸線に平行な方向に沿った端部にはロック凸部が設置され、回動式ドックの展開に伴い回動し、前記ロック凸部が前記ロック部材に当接する際に、前記ロック部材はストッパ位置から退避位置へ移動し、前記ロック凸部が前記ロック部材を超えた後、前記ロック部材は前記ストッパ位置へ回復して前記ロック凸部の後側に臨み、これにより、回動式ドックがロックされ展開状態に保持されるように、前記回動式ドックの閉鎖方向への回動を阻止する。
【００１５】
この中で、制御部材の一端と本体とが連結する連結方式について、一つの実施例において、例えば締結部材による締結、半田付け等の方式により固定連結が実現可能であり、このとき制御部材自体に微量の弾性変形特性を持たせてもよく、ロック部材が剛性を備え、制御部材の弾性変形によりロック部材がストッパ位置と退避位置との間を移動することが実現できる。また、制御部材自体に剛性を持たせることも可能であるが、ロック部材自体に微量の弾性変形特性を備える。ロック部材と制御部材とが一体構造である状況では、二者に微量の弾性変形を有する材料を採用して製造することを考慮する。もう一つの好ましい実施例において、制御部材の一端と本体とが連結する連結方式は例えば、ヒンジ連結、ピボット連結等の可動連結とすることが可能であり、これにより制御部材は可動連結の連結点周りで回動することでロック部材がストッパ位置と退避位置の間を移動することが実現でき、このとき制御部材とロック部材はいずれも剛性材料を採用して製造され、比較的大きなロック力を提供できる。
【００１６】
以下の実施例において、前記制御部材の前記一端は即ち前後方向に延在する第１軸を介して回動して前記本体に連結し、前記制御部材は前記第１軸を中心として、前記ストッパ位置と退避位置との間を移動でき、且つ前記制御部材の前記他端には第１のリセット弾性部材が設置され、前記リセット弾性部材は前記ロック部材を退避位置からストッパ位置へ回復させるように付勢し、前記回動式ドックの展開回動過程において、前記ロック凸部は前記制御部材の他端のロック部材を押圧するとともに前記第１リセット弾性部材の弾力を抵抗し、前記ロック部材を前記第１軸に対して回動させ、退避位置へ移動させる。この実施例に基づいて、該第１リセット弾性部材を介して、ロック部材がロック凸部により退避位置へ押圧された後、ストッパ位置へ自動的に回復することができる。当然ながら、第１リセット弾性部材も必須ではなく、第１リセット弾性部材を設置しない状況では、ロック部材がロック凸部により退避位置まで押圧された後、本体にスルーホールを設置して、ユーザが細長いレバーを手に持ちこれをスルーホールに貫通して本体内に進入させ、人為的にロック部材を退避位置からストッパ位置へ移動させることも可能であり、本発明の目的を実現できる。第１リセット弾性部材を設置しない実施例と比較して、本実施例は操作がさらに便利である。
【００１７】
ロック凸部が展開回動過程で円滑に前記ロック部材を超え、ロック装置の動作をさらにスムーズにするために、本発明のロック装置の一つの実施例において、前記ロック部材は展開用ガイド面とストッパ面とを備え、前記ロック凸部は前記回動式ドックの扉体の底板に設けられ、前記ロック凸部は展開用ガイド面とストッパ面とを備え、前記ロック部材のストッパ面は前記ロック部材の前側に位置し、前記ロック凸部の展開用ガイド面が前記ロック部材の展開用ガイド面を押圧することで前記ロック部材がストッパ位置から退避位置へ移動し、前記ロック凸部が順方向に前記ロック部材を超えて、且つ前記回動式ドックが展開状態にあるとき、前記ロック部材の前側のストッパ面と前記ロック凸部のストッパ面とが当接する。本実施例において、前記ロック部材の前側のストッパ面と前記ロック凸部のストッパ面とは直接当接し、二者の間に間隙が存在せず、従って、回動式ドックは閉鎖方向へ回動する余裕を備えず、ロックがさらに精確になり、取り外される電子機器に追従して回動式ドックが回動することはまったくなくなる。しかし本発明において、ロック部材のストッパ面と前記ロック凸部のストッパ面の間に僅かな間隙が許され、実質的には取り外される電子機器に追従して回動式ドックが回動する問題を大幅な程度で解決することができる。
【００１８】
本発明のロック装置の一つの実施例において、前記ロック部材の展開用ガイド面は前記ロック部材の上側に位置し、前記ロック凸部の展開用ガイド面は前記回動式ドックが収納状態を呈する際には前記ロック凸部の前側に位置し、回動式ドックの展開状態で、前記ロック凸部の展開用ガイド面は下方へ向けて回動し、このような配置において、退避位置はストッパ位置の下方に位置する。当然ながら、対称原理に基づいて、ロック部材とロック凸部の各自の展開用ガイド面の位置を変更すれば、退避位置はストッパ位置の上方に位置する。
【００１９】
ロック凸部が閉鎖回動過程で円滑に前記ロック部材を逆方向に超え、ロック装置の動作をさらにスムーズにするために、本発明のロック装置の一つの実施例において、前記ロック部材はさらに、前記ロック部材の展開用ガイド面とストッパ面との間に位置する閉鎖用ガイド面を備え、前記ロック凸部も前記ロック凸部の展開用ガイド面とストッパ面との間に位置する閉鎖用ガイド面を備え、前記回動式ドックの閉鎖回動において、ロック凸部が閉鎖回動の方向で前記ロック部材を超えるように、前記ロック凸部の前記閉鎖用ガイド面が前記ロックの前記閉鎖用ガイド面に押圧することでロック部材がストッパ位置から退避位置へ押される。
【００２０】
本発明のロック装置の一つの実施例において、前記ロック装置はアンロックスライドボタンをさらに含み、前記アンロックスライドボタンはロック位置とアンロック位置との間で移動でき、前記アンロックスライドボタンは制御ピンを含み、前記制御ピンと前記制御部材は連動し、それに伴って前記制御部材の他端に設置されたロック部材は前記ストッパ位置を離れる。ユーザが回動式ドックのロックをアンロックする場合には、アンロックスライドボタンをロック位置からアンロック位置へ移動させて、アンロックが完成し、回動式ドックは閉鎖方向へ円滑に回動することができる。当然ながら、アンロックスライドボタンも必須ではなく、アンロックスライドボタンを設置しない状況でも、依然としてユーザが人為的に操作してロック部材をストッパ位置から退避位置へ移動させるよう考慮することもできる。
【００２１】
アンロックスライドボタンがロック部材を伴う動作の具体的実施形態に関して、本発明において制限されず、既知の構造を採用できる。本発明のロック装置の好ましい実施例において、前記制御部材にはカム溝が設置され、前記カム溝はロック溝部と、アンロック溝部と、二者の間に位置する突起とを備え、前記アンロックスライドボタンの制御ピンは前記カム溝に挿入され、前記制御ピンは例えばその軸に沿って延在する係合溝を備え、前記係合溝は前記突起と係合し、ロック部材がストッパ位置にあり、前記アンロックスライドボタンがロック位置にある場合、前記制御ピンは前記ロック溝部にあり、前記アンロックスライドボタンがアンロック位置にあるとき、前記制御ピンが前記アンロック溝部にあり、且つその係合溝と前記突起が係合し、前記制御ピンにはさらに第２リセット弾性部材に連結され、前記第２リセット弾性部材は前記制御ピンを前記アンロック溝部から前記ロック溝部へ移動させるように付勢する。この方案に基づいて、閉鎖回動過程、即ち逆方向回動の過程において、前記アンロックスライドボタンは、次のアンロック操作準備のために、第２リセット弾性部材の弾力を介してアンロック位置から自動的にロック位置まで戻る。
【００２２】
本発明のロック装置の一つの実施例において、前記ロック装置はさらにカバー板を備え、前記カバー板は前記制御部材の後側に位置し、前記制御部材の前記他端に固定柱が設置され、前記カバー板の、前記制御部材の前記他端に近い部位にフックが設置され、前記フックは前記固定柱の上方に位置し、前記第１リセット弾性部材は前記固定柱と前記フックとの間に掛けられる。この中で前記第１リセット弾性部材は引張バネでよい。当然ながら圧縮バネを採用できるが、しかし圧縮バネの位置を変更する必要があり、ロック部材を退避位置からストッパ位置へ移動させるスラストが圧縮バネから制御部材に持続して加えられる。
【００２３】
本発明のロック装置の一つの実施例において、前記ロック部材は上下方向に延在する第２軸を介して前記制御部材の前記他端にピボット連結し、且つ前記ロック部材と前記制御部材の前記他端の間に第３リセット弾性部材が設置される。回動式ドックがロック状態にあり、回動式ドックに作用する外力が第３リセット弾性部材の所定値よりも大きいとき、回動式ドックにおけるロック凸部はロック部材を第２軸周りに後方へ回動させるように押し進め、扉体を閉鎖方向へ回動する強い外力を受けたときにロック部材が破損するのを回避できる。
【００２４】
本発明の第二の態様は、回動式ドックを提供するものであり、前記回動式ドックは回動により展開と閉鎖を実現し、前記回動式ドックは、前記回動式ドックが閉鎖状態で収納される内面にコネクタが設けられ、前記回動式ドックは前記いずれか一項のロック装置を含む。本発明の回動式ドックに基づいて、回動式ドックに挿着された電子機器を取り外す際に、取り外される電子機器に追従して回動が発生することはなく、挿着された双方のコネクタ部分の負担を軽減し、コネクタ部分が損壊されにくくなる。
本発明の第三の態様は電子機器を提供するものであり、前記電子機器は前記の回動式ドックを含み、該電子機器の本体は前記本体を構成する。本発明の電子機器に基づいて、回動式ドックに挿着されている電子機器を取り外す際に、取り外される電子機器に追従して回動式ドックの回動が発生することはなく、挿着された双方のコネクタ部分の負担を軽減し、コネクタ部分が損壊されにくくなる。
【図面の簡単な説明】
【００２５】
【図１】本発明実施形態１の電子機器の一つの実施例の斜視分解図である。
【図２】本発明実施形態１の電子機器のもう一つの実施例の斜視分解図である。
【図３】図１、２の実施例の組み立て斜視図である。
【図４】図３の背面図（カバー板をはずした）である。
【図５ａ】図２の回動式ドックの展開回動過程（第１段階）の動作模式図であり、その中で回動式ドックは閉鎖状態にあり、アンロックスライドボタンはロック位置にある。
【図５ｂ】図５ａのＡ−Ａ向き断面図である。
【図５ｃ】図５ａのアンロックスライドボタン位置を示した前面部分模式図である。
【図５ｄ】図５ａの回動式ドックのアンロックスライドボタンがアンロック位置にあるもう一つの状態の模式図である。
【図５ｅ】図５ｄのＡ１−Ａ１向き断面図である。
【図５ｆ】図５ｄのアンロックスライドボタン位置を示した前面部分模式図である。
【図６ａ】図２の回動式ドックの展開回動過程（第２段階）の動作模式図であり、この中で回動式ドックは展開回動過程にあり、ロック部材は退避位置にあり、アンロックスライドボタンはロック位置にある。
【図６ｂ】図６ａのＢ−Ｂ向き断面図である。
【図６ｃ】図６ａのアンロックスライドボタン位置を示した前面部分模式図である。
【図７ａ】図２の回動式ドックの展開回動過程（第３段階）の動作模式図であり、この中で回動式ドックは展開状態にあり、ロック部材はストッパ位置にあり即ち扉体はロックされた状態にあり、アンロックスライドボタンはロック位置にある。
【図７ｂ】図７ａのＣ−Ｃ向き断面図である。
【図７ｃ】図７ａのアンロックスライドボタン位置を示した前面部分模式図である。
【図８ａ】図２の回動式ドックの閉鎖回動過程（第４段階）の動作模式図であり、その中で回動式ドックは展開状態にあり、ロック部材は退避位置にあり、アンロックスライドボタンはアンロック位置にあり、扉体はアンロックされた状態にある。
【図８ｂ】図８ａのＤ−Ｄ向き断面図である。
【図８ｃ】図８ａのアンロックスライドボタン位置を示した前面部分模式図である。
【図９ａ】図２の回動式ドックの閉鎖回動過程（第５段階）の動作模式図であり、この中で回動式ドックは閉鎖回動過程にあり、ロック部材はストッパ位置へ回復し、アンロックスライドボタンはロック位置にある。
【図９ｂ】図９ａのＥ−Ｅ向き断面図である。
【図９ｃ】図９ａのアンロックスライドボタン位置を示した前面部分模式図である。
【図１０ａ】図２の回動式ドックの閉鎖回動過程（第６段階）の動作模式図であり、その中で回動式ドックは収納状態にあり、アンロックスライドボタンはロック位置にある。図５ａのアンロックスライドボタン位置を示した前面部分模式図である。
【図１０ｂ】図１０ａのＦ−Ｆ向き断面図である。
【図１０ｃ】図１０ａのアンロックスライドボタン位置を示した前面部分模式図である。
【発明を実施するための形態】
【００２６】
本発明の一の態様は例えば、スピーカー、ディスプレイ等のような電子機器、該電子機器の回動式ドックおよび該回動式ドックのロック装置を提供する。
【００２７】
本発明の他の態様はさらに、回動式ドックを備えるテーブル、キャビネット等の非電子機器およびその回動式ドック、該回動式ドックのロック装置を提供する。
【００２８】
本発明は主に電子機器を例に説明を行う。ロック装置は回動式ドックの組成部分であることから、回動式ドックは電子機器の組成部分でもある。出願書類をさらに簡潔にするために、本発明は電子機器の各実施例を描写する形式で説明を行い、図面において完全な電子機器は描かれず、関連する部分を表示することで電子機器を表す。回動式ドックおよびそのロック装置の各実施例は、いずれも電子機器の各実施例に含まれており、さらに単独では描写されない。また、本発明において主要な関連素子が描写され、従来技術と同一のその他の素子は詳細には描写されない。
【００２９】
本発明において、言及される方向「前」、「後」、「左」、「右」とは電子機器自体の「前」（ユーザに対面する電子機器の正面）、「後」、「左」、「右」を指す。技術用語「展開回動」とは回動式ドックが展開方向へ回動することを指し、「順方向回動」とも称され、「閉鎖回動」とは回動式ドックが閉鎖方向へ回動することを指し、「逆方向回動」とも称され、「展開」は「開く/開ける」とも称され、「収納」は「閉鎖」とも称される。
【００３０】
本発明は実施形態において好ましい各実施例を描写している。その他の可能な実施例は、明細書の発明内容に記載されている。
【００３１】
［実施形態１］
図１〜４に示すように、本発明は例えば、スピーカー等のような電子機器を提供する。該電子機器は本体１００および本体１００に設けられる回動式ドック１（dock）を含む。回動式ドック１は本体１００の所定の実装部１０１に設置される。
【００３２】
回動式ドック１は例えば扉体１０とドックケース１１とを含んでドックボックスを構成できる。扉体１０は本体１００の前部に位置し、パネル１２と、パネル１２に夾角（例えば直角）で連結する底板１３とを含む。ドックケース１１は本体１００内部の扉体１０の後側に位置する。扉体１０は枢動してドックケース１１に接合し、扉体１０はその中の孔１４を貫通する軸１５周りに回動することで展開および収納を実現する。扉体１０の収納時に本体１００内部に収納される内面、例えば底板１３の内面にはコネクタ１６が設置され、扉体１０の展開時にコネクタ１６が露出し、例えば、プレイヤー（iPod（登録商標））等の電子機器が挿着できる。回動式ドック１はプッシュオープン機構を設置可能であり、プッシュオープン機構の開閉カムと開閉ギアはそれぞれ、ドックケース１１の、扉体１０の回動軸線方向に沿った両端に設置できる。扉体１０の底板１３の、扉体１０回動軸線方向に沿った両端に、該回動軸線に沿って延在する開閉ピン１７、１８、１９を設置し、この中で開閉ピン１７はプッシュオープン機構の開閉カムの動作シュートに嵌合し、三つの開閉ピン１７〜１９はさらに、本体１００の実装部１０１付近に位置する内壁面１００１への当て止めにも用いられ、扉体１０を展開および閉鎖時に例えば９０度のような所定の角度で回動するよう制限するのに用いられ、ユーザは扉体１０を押圧することでプッシュオープン機構により扉体１０を自動で開閉できる。
【００３３】
前記のように、扉体１０、ドックケース１１およびプッシュオープン機構は、本体１００に対して任意で着脱できる独立したドックボックスを形成し、さらに締結部材および弾性クッション１１０（例えばゴムクッション）によりドックボックスを本体１００の対応する実装凸台に実装し、モジュール化特性を強化できる。当然ながら、ドックボックスの形成は必須ではなく、ドックケース１１を省略して、回動式ドック１の扉体１０およびプッシュオープン機構を本体１００の内壁面１００１に形成される支持部材に直接実装することもできる。
【００３４】
本体１００、回動式ドック１およびそのプッシュオープン機構は従来技術であり、その他の構造をさらに詳細に記述しない。また、扉体１０を展開および閉鎖させる機構は、前に言及されたプッシュオープン機構に制限されず、その他の機構も採用できる。
【００３５】
本発明の改良箇所は、回動式ドック１がロック装置２を含むことであり、該ロック装置２はロック部材２１を含み、ロック部材２１は、回動式ドック１が展開状態に保持されるように、回動式ドック１の展開状態で回動式ドック１にロックを行う。従って、回動式ドック１のコネクタ１６に挿着されている電子機器を取り外す際に、取り外される電子機器に追従して回動式ドック１の扉体１０の回動が発生することはなく、挿着された双方のコネクタ部分の力受けを軽減し、コネクタ部分が損壊されにくくなる。
【００３６】
本発明のロック装置２の好ましい実施形態において、ロック装置２は、制御部材３を含む。制御部材３の一端３１は前後方向に延在する第１軸３２介して回動し本体１００の内壁面１００１に連結し、他端３３は締結部材による締結、半田付け等の方式によりロック部材２１を設置される。これにより、第１軸３２を回動中心として、他端３３におけるロック部材２１は第１軸３２を中心として回動することで（図４における２点鎖線は制御部材３の回動を示す）、矢印Ｆ１の方向に沿ってストッパ位置Ｐ１と退避位置Ｐ２との間を移動できる。
【００３７】
回動式ドック１の扉体１０の底板１３の、ロック部材２１に対応する端部にロック凸部２２を設置して、ロック部材２１とロック凸部２２が嵌合することでロックが実現する。
【００３８】
最も好ましい実施例において、図２を参照して、ロック部材２１は上下方向、即ち制御部材３の幅方向に延在する第２軸５を介して制御部材３の他端３３にピボット連結する。さらにロック部材２１と制御部材３の他端３３との間に第３リセット弾性部材６を設置することができる。ロック部材２１はストッパ位置Ｐ１のロック状態で、回動式ドック１の扉体１０に作用する強い外力が依然として扉体１０を回動させる場合、ロック凸部２２はロック部材２１を第２軸５周りに本体１００内部の後方へ回動するように押し進められる。扉体１０を閉鎖方向へ回動する強い外力を受けたときにロック部材２１が破損するのを回避する。
【００３９】
ロック装置２の展開回動過程において、動作をさらに円滑にするために、好ましい実施例において、ロック部材２１に展開用ガイド面２１１とストッパ面２１２とを持たせる（図５ｂを参照）。ロック部材２１の展開用ガイド面２１１はロック凸部２２の回動トラックに沿って分布するアーチ形面を呈し、ロック部材２１の上側に位置してよい。ロック部材２１のストッパ面２１２は例えば扉体１０回動軸線に平行な垂直面を呈し、ロック部材２１の前側に位置してよい。ロック凸部２２は展開用ガイド面２２１とストッパ面２２２とを備える。ロック凸部２２の展開用ガイド面２２１は、ロック部材２１の展開用ガイド面２１１のアーチ形面と相補するアーチ形面を呈する。扉体１０が閉鎖状態にある時、ロック凸部２２の展開用ガイド面２２１はロック凸部２２の前側に位置し、ストッパ面２２２はロック凸部２２の下側に位置し、扉体１０が展開状態にあるとき、ロック凸部２２のストッパ面２２２は扉体１０の回動線軸と平行な垂直面へ回動し、展開用ガイド面２２１は下を向く。この配置において、退避位置Ｐ２はストッパ位置Ｐ１の下方に位置する。対称原理に基づいてわかるように、ロック部材２１とロック凸部２２の各自の展開用ガイド面２１１、２２１の位置を変更した場合、退避位置Ｐ２はストッパ位置Ｐ１の上方に配置する。回動式ドック１の展開過程において、ロック凸部２２の展開用ガイド面２２１はロック部材２１の展開用ガイド面２１１を押圧しながらスライドし、ロック部材２１をストッパ位置Ｐ１から退避位置Ｐ２へ移動させ、ロック凸部２２が展開回動の方向で初めてロック部材２１を超えるのに有利である、回動式ドック１の展開状態で、ロック部材２１のストッパ面２１２はロック凸部２２のストッパ面２２２と当接し、扉体１０が阻止され、閉鎖方向へ回動できず、ロックが実現する。
【００４０】
ロック装置２の閉鎖回動過程において、動作をさらに円滑にするために、好ましい実施例において、ロック部材２１はさらに、ロック部材２１の展開用ガイド面２１１とストッパ面２１２の間に位置する閉鎖用ガイド面２１３を備え、ロック凸部２２にもロック凸部２２の展開用ガイド面２２１とストッパ面２２２の間に位置する閉鎖用ガイド面２２３を備える。回動式ドック１の閉鎖回動において、ロック凸部２２の閉鎖用ガイド面２２３はロック部材２１の閉鎖用ガイド面２１３を押圧しながらスライドし、ロック部材２１をストッパ位置Ｐ１から退避位置Ｐ２へ移動させ、ロック凸部２２が閉鎖回動の方向でロック部材２１を逆方向に超えるのに有利である。
【００４１】
一つの好ましい実施例において、制御部材３の他端３３に第１リセット弾性部材３４が設置される。例えば制御部材３の他端３３の後側に固定柱３５が設置され、本体１００の内壁面１００１の、他端３３に近い固定柱３５の上方にフックが設置され、第１リセット弾性部材３４は例えば引張バネであり、固定柱３５とフックの間に掛けられる。該第１リセット弾性部材３４がロック部材２１を退避位置Ｐ２から上方へ引き込むことでストッパ位置Ｐ１へ回復するように持続して付勢する。当然ながら、第１リセット弾性部材３４は必須ではなく、第１リセット弾性部材３４を省略する状況では、ロック部材２１を人為的に操作してこれを退避位置Ｐ２からストッパ位置Ｐ１へ回復させることができる。第１リセット弾性部材３４が例えば圧縮バネである実施例からわかるように、第１リセット弾性部材３４を掛けるためのフックを固定柱３５の下方に設け、該第１リセット弾性部材３４がロック部材２１を退避位置Ｐ２から上方へストッパ位置Ｐ１まで押し進めるように持続して付勢する。本発明の第１リセット弾性部材を設置する具体的構造および形式は制限されず、退避位置Ｐ２からストッパ位置Ｐ１へ回復させるようにロック部材２１を付勢すればよい。
【００４２】
本発明のロック装置２の一つの実施形態において、ロック装置２はさらにカバー板７を含み、カバー板７は制御部材３の後側に位置し、カバー板７を備える状況では、第１リセット弾性部材３４を掛けるフック７１はカバー板７の後部の上方に設けることができる。カバー板７は必須ではなく、必要に応じて設置できる。
【００４３】
回動式ドック１の閉鎖の便宜上、一つの好ましい実施例において、ロック装置２はアンロックスライドボタン４をさらに含み、アンロックスライドボタン４はロック位置Ｐ３とアンロック位置Ｐ４との間を矢印Ｆ２の方向に移動できる。アンロックスライドボタン４はボタン部４１と、付け根部４２と、付け根部４２後部に設けられる制御ピン４３とを含み、制御ピン４３と制御部材３は連動し、それに伴って制御部材３の他端３３のロック部材２１はストッパ位置Ｐ１を離れ、アンロックを実現し、その後、回動式ドック１は閉鎖方向へ回動できるようになる。
【００４４】
アンロックスライドボタン４がロック部材３を伴う動作の一つの実施例において、制御部材３にカム溝が設置され、カム溝はロック溝部３６と、アンロック溝部３７と、二者の間の突起３８とを備える。制御ピン４３はカム溝に挿入される。制御ピン４３は例えばその軸に沿って延在する係合溝３９を備え、該係合溝３９は突起３８と係合する。ロック部材２１がストッパ位置Ｐ１にあり、アンロックスライドボタン４がロック位置Ｐ３にあるとき、制御ピン４３はロック溝部３６に位置する。アンロックスライドボタン４がアンロック位置Ｐ４にあり、制御ピン４３がアンロック溝部３７にあり且つ係合溝３９と突起３８を係合させる（図５ｄを参照）。制御ピン４３はさらに第２リセット弾性部材４４に連結し、第２リセット弾性部材４４は捩りバネでよく、制御ピン４３をアンロック溝部３７からロック溝部３６へ移動させるように持続して付勢する。
【００４５】
図５ａ〜１０ｃを参照して、以下に本発明のロック装置の動作過程を詳細に紹介する。図５ａ〜７ｃは展開回動の動作模式図であり、図８ａ〜１０ｃは閉鎖回動の動作模式図である。
【００４６】
第１段階：図５ａ〜５ｃに示され、回動式ドック１は閉鎖状態にあり、ロック装置２のロック部材２１はストッパ位置Ｐ１にあり、アンロックスライドボタン４はロック位置Ｐ３にあり、アンロックスライドボタン４の制御ピン４３は制御部材３中のカム溝のロック溝部３６内にある。当然ながら、図５ｄ〜５ｆに示すように、第１段階において、アンロックスライドボタン４をアンロック位置Ｐ４へ移動することもでき、制御ピン４３はアンロック溝部３７内に位置し且つ係合溝３９と突起３８は係合する。
【００４７】
第２段階：図６ａ〜６ｃに示されるように、ユーザは扉体１０を押圧してこれを開き、扉体１０の展開回動に従って、扉体１０の底板１３におけるロック凸部２２は展開方向へ回動し、ロック凸部２２の展開用ガイド面２２１がロック部材２１の展開用ガイド面２１１に当接するとき、ロック凸部２２は第１リセット弾性部材３４の弾力を抵抗するとともにロック部材２１をストッパ位置Ｐ１から退避位置Ｐ２へ即ち下方へ移動させるように圧迫する。扉体１０が引き続き回動するのに従って、ロック凸部２２は展開方向で初めてロック部材２１を超える。
【００４８】
第３段階：図７ａ〜７ｃに示されるように、ロック凸部２２がロック部材２１を完全に超えた後、第１リセット弾性部材３４の作用で、ロック部材２１は制御部材３に動かされて退避位置Ｐ２から上に向かってストッパ位置Ｐ１へ戻り且つロック凸部２２の後側に臨み、このとき、ロック部材２１のストッパ面２１２はロック部材２２のストッパ面２２２と当接し、扉体１０の閉鎖方向への回動を阻止し、回動式ドック１は展開状態に保持される。
【００４９】
第４段階：図８ａ〜８ｃに示されるように、扉体１０を閉鎖すべき場合に、ユーザは先ず回動式ドック１に対するロックを解除する必要があり、アンロックスライドボタン４を操作して第２リセット弾性部材４４の弾力を抵抗して、ロック位置Ｐ３からアンロック位置Ｐ４へ移動させ、このとき、制御ピン４３はロック溝部３６からアンロック溝部３７へ動作するとともに最終的に制御ピン４３における係合溝３９をカム溝の突起３８に係合させ、これと同時に、制御部材３はロック溝部３６から突起３８の間の高度方向での変位量に基づいて、第１軸を中心として回動し、ロック部材２１をストッパ位置Ｐ１から退避位置Ｐ２へ下方向に移動させ、制御ピン４３における係合溝３９とカム溝の突起３８が係合することで、制御部材３が第１リセット弾性部材３４の弾力を抵抗し、ロック部材２１を一時的に予備の退避位置（退避位置の上方寄りに位置する）に保持する。
【００５０】
第５段階：図９ａ〜９ｃに示されるように、この後、ユーザは扉体１０のパネル１２を閉鎖方向へ押し、扉体１０の閉鎖回動に従って、扉体１０の底板１３におけるロック凸部２２は閉鎖方向へ回動し、ロック凸部２２の閉鎖用ガイド面２２３がロック部材２１の前側の閉鎖用ガイド面２１３に当接するとき、ロック凸部２２はさらに第１リセット弾性部材３４の弾力を抵抗するとともに、ロック部材２１をさらに圧迫し予備の退避位置から退避位置Ｐ２へ移動させ、扉体１０が引き続き閉鎖方向へ回動するのに従って、ロック凸部２２はロック部材２１を逆方向に超えると同時に、制御部材３がさらに退避位置Ｐ２へ押圧されることから、制御部材３に傾斜が生じ、アンロックスライドボタン４の制御部材４３は第２リセット弾性部材４４の弾力により、制御ピン４３の係合溝３９を突起３８から離脱させ、制御ピン４３はアンロック溝部３７からロック溝部３６へ移動し、同時にボタン部４１をアンロック位置Ｐ４からロック位置Ｐ３へ移動させるように動かして、これと同時に、制御部材３は第１リセット弾性部材３４の作用により、退避位置Ｐ２からストッパ位置Ｐ１へ回復し、次のロック動作の準備に入る。
【００５１】
第６段階：図１０ａ〜１０ｃに示されるように、ロック凸部２２がロック部材２１を逆方向に超えた後、ロック凸部２２は再びロック部材２１の後方に位置することからロック部材２１のストッパを受けず、扉体１０はアンロックされ、自由に閉鎖状態へ回動できる。
【００５２】
［実施形態２］
この実施形態におけるロック装置、回動式ドックと実施形態１におけるロック装置、回動式ドックの各実施例の原理および効果は基本的に同一であり、再度記述せず、異なる箇所は、本実施形態における回動式ドックが回動式リセプタクルであることにある。
【００５３】
回動式リセプタクルが閉鎖状態で収納される内面にはインターフェイスが設置される。且つ回動式リセプタクルは電子機器に実装されることのみに制限されず、テーブル、キャビネット、ひいては建築物等の非電子機器に実装されることも完全に可能であり、同様にインターフェイスに挿着されている電子機器が取り外される際に発生する、取り外される電子機器に追従して回動式リセプタクルが回動する問題を解決できる。
【００５４】
回動式リセプタクルを使用しないときには、占用空間を減らすために回動式リセプタクルを閉じることができ、テーブル、キャビネットひいては建築物等の表面の平坦化の実現に有利である。
【００５５】
この場合、詳細な図面は提供されないが、主な作業原理は実施形態１の図面を参照できる。
【００５６】
以上の記載は、本発明の具体的な実施形態に過ぎず、これにより本発明実の範囲を限定することはできず、本発明の内容に基づいて行われた等価変更と修飾であれば、即ち回動式ドックが展開状態でこれにロックを行いコネクタ部分の負担または力受けを軽減するロック装置およびロック方法であれば、いずれも本発明の保護範囲に属する。
【符号の説明】
【００５７】
１  回動式ドック
２  ロック装置
３  制御部材
４  アンロックスライドボタン
５  第２軸
６  第３リセット弾性部材
７  カバー板
１０  扉体
１３  底板
１６  コネクタ
２１  ロック部材
２２  ロック凸部
３１  一端
３２  第１軸
３３  他端
３４  第１リセット弾性部材
３５  固定柱
３８  突起
３９  係合溝
４２  根部
４３  制御ピン
４４  第２リセット弾性部材
７１  フック
１００  本体
２１１，２２１  展開用ガイド面
２１２，２２２  ストッパ面
２１３，２２３  閉鎖用ガイド面
Ｐ１  ストッパ位置
Ｐ２  退避位置
Ｐ３  ロック位置
Ｐ４  アンロック位置
【図１】
2013048006.tif 000003
【図２】
2013048006.tif 000004
【図３】
2013048006.tif 000005
【図４】
2013048006.tif 000006
【図５ａ】
2013048006.tif 000007
【図５ｂ】
2013048006.tif 000008
【図５ｃ】
2013048006.tif 000009
【図５ｄ】
2013048006.tif 000010
【図５ｅ】
2013048006.tif 000011
【図５ｆ】
2013048006.tif 000012
【図６ａ】
2013048006.tif 000013
【図６ｂ】
2013048006.tif 000014
【図６ｃ】
2013048006.tif 000015
【図７ａ】
2013048006.tif 000016
【図７ｂ】
2013048006.tif 000017
【図７ｃ】
2013048006.tif 000018
【図８ａ】
2013048006.tif 000019
【図８ｂ】
2013048006.tif 000020
【図８ｃ】
2013048006.tif 000021
【図９ａ】
2013048006.tif 000022
【図９ｂ】
2013048006.tif 000023
【図９ｃ】
2013048006.tif 000024
【図１０ａ】
2013048006.tif 000025
【図１０ｂ】
2013048006.tif 000026
【図１０ｃ】
2013048006.tif 000027